(57)【要約】【課題】  この発明は、光源から液晶パネルに与えられる光量を制御できる投射型液晶プロジェクタを提供することを目的とする。【解決手段】  光源から出射された光を液晶パネルによって光変調して映像投射する投射型液晶プロジェクタにおいて、光源から出射された光が液晶パネルに入射されるまでの光路上において光源からの光を空間的に遮断する光遮断手段が設けられている。光遮断手段は、光源からの光の空間的遮断量を調整可能である。【選択図】  図１
2005099863.tif 000002
【特許請求の範囲】
【請求項１】
光源から出射された光を液晶パネルによって光変調して映像投射する投射型液晶プロジェクタにおいて、
光源から出射された光が液晶パネルに入射されるまでの光路上において光源からの光を空間的に遮断する光遮断手段が設けられていることを特徴とする投射型液晶プロジェクタ。
【請求項２】
光遮断手段は、光源からの光の空間的遮断量を調整可能であることを特徴とする請求項１に記載の投射型液晶プロジェクタ。
【発明の詳細な説明】
【技術分野】
【０００１】
この発明は、投射型液晶プロジェクタに関する。
【背景技術】
【０００２】
従来の投射型液晶プロジェクタでは、高輝度化のために、光源をパワーアップしたり、２灯または４灯の光源を使用した方式が実用化されている。しかしながら、このような方式では、高輝度部を明るくできるが、低輝度部において黒くできないため、コントラストが大きくとれないという問題がある。
【発明の開示】
【発明が解決しようとする課題】
【０００３】
この発明は、光源から液晶パネルに与えられる光量を制御できる投射型液晶プロジェクタを提供することを目的とする。
【課題を解決するための手段】
【０００４】
請求項１に記載の発明は、光源から出射された光を液晶パネルによって光変調して映像投射する投射型液晶プロジェクタにおいて、光源から出射された光が液晶パネルに入射されるまでの光路上において光源からの光を空間的に遮断する光遮断手段が設けられていることを特徴とする。
【０００５】
請求項２に記載の発明は、請求項１に記載の投射型液晶プロジェクタにおいて、光遮断手段は、光源からの光の空間的遮断量を調整可能であることを特徴とする。
【発明の効果】
【０００６】
この発明によれば、光源から液晶パネルに与えられる光量を制御できるようになる。
【発明を実施するための最良の形態】
【０００７】
以下、図面を参照して、この発明の実施例について説明する。
【実施例】
【０００８】
〔１〕第１の実施の形態の説明
【０００９】
図１は、投射型液晶プロジェクタの構成を示している。
【００１０】
液晶パネル１の前面側には、投写レンズ２が配置されている。液晶パネル１の背面側には、コンデンサレンズ３、ＰＳＣ４、インテグレータレンズ対５、レンズ６が配置されている。ＰＳＣは、ＰＳコンーバータまたは偏光変換プリズムアレイと呼ばれているものであり、Ｐ波、Ｓ波を変換するために用いられる。ＰＳＣは、たとえば、Ｐ波をそのまま通過させ、Ｓ波をＰ波に変換して、全ての入力光をＰ波に換えて出力する。
【００１１】
レンズ６の後方には、合成プリズム７が配置されている。合成プリズム７の周囲には、第１の光源１１と第２の光源１２とが、合成プリズム７を中心として対向するように配置されている。第１の光源１１および第２の光源１２の前面側には、集光レンズ１３、１４がそれぞれ配置されている。
【００１２】
第１の光源１１の前面側に設けられた集光レンズ１３と合成プリズム７との間には、第１の光源１１から合成プリズム７に入射する光を遮断したり、透過させたりするためのシャッタを備えた遮断機構部１５が配置されている。
【００１３】
遮断機構部１５のシャッタが開いている場合には、第１の光源１１と第２の光源１２から出射した光が、それぞれ集光レンズ１３、１４を介して合成プリズム７に入射される。合成プリズム７に入射した光は、合成プリズム７からレンズ６に向かって出射され、レンズ６、インテグレータレンズ対５、ＰＳＣ４およびコンデンサレンズ３を介して液晶パネル１に入射するので、液晶パネル１に書き込まれた映像が投写レンズ２を介して投写レンズ２の前方に配置された図示しないスクリーンに投影される。
【００１４】
なお、遮断機構部１５のシャッタが閉じている場合には、第２の光源１２から出射した光のみが集光レンズ１４を介して合成プリズム７に入射される。したがって、この場合には、液晶パネル１に入射する光量は、遮断機構部１５のシャッタが開いている場合のほぼ１／２となる。
【００１５】
液晶パネル１には、映像回路部３０を介して入力映像が書き込まれる。映像回路部３０は、ＮＴＳＣ等のＴＶ信号、ＶＧＡ等のＰＣ信号が入力される入力部３１、各種入力映像信号に応じた映像処理を行なう映像処理部３２、映像信号のレベルに応じて信号レベルを調整する信号調整部３３および信号調整部３３からの映像信号に応じて液晶パネル１を駆動する液晶パネル駆動部３４および制御部（マイクロコンピュータ）３５を備えている。制御部３５は、映像回路部３０内の各部を制御するとともに、遮断機構部１５を制御する。
【００１６】
図２は、信号調整部３３の構成を示している。
【００１７】
映像処理部３２によって得られた映像信号は、フィールドメモリ４１に送られるとともに、映像信号レベル検出部４５に送られる。フィールドメモリ４１は、フィールドメモリ制御部４２によって制御される。
【００１８】
フィールドメモリ４１に蓄積された映像信号は、信号補正処理部４３に送られるとともに、セレクタ４４に送られる。信号補正処理部４３は、映像信号レベルをほぼ倍増させる処理を行なう。信号補正処理部４３の出力は、セレクタ４４に送られる。セレクタ４４は、制御部３５からの制御信号に基づいて、２つの入力信号のうち一方を選択して出力する。セレクタ４４から出力される映像信号は、液晶パネル駆動部３４に送られ、液晶パネル１に書き込まれる。
【００１９】
映像信号レベル検出部４５は、１フィールド毎に、映像信号レベルの最大値と平均値とを算出して、制御部３５に送る。制御部３５は、映像信号レベル検出部４５から送られてきた映像信号レベルの最大値と平均値とに基づいて、次のような処理を行なう。
【００２０】
つまり、映像信号レベルの最大値が対最大値用閾値ＴＨＡ以下であるか否かを判定するとともに、映像信号レベルの平均値が対平均値用閾値ＴＨＢ以下であるか否かを判定する。
【００２１】
映像信号レベルの最大値がＴＨＡ下でありかつ１フィールド内の映像信号レベルの平均値がＴＨＢ以下である場合には、制御部３５は、遮断機構部１５に遮断ＯＮ信号を送るとともに、セレクタ４４に信号補正処理部４３の出力を選択させるための制御信号を送る。遮断機構部１５は、遮断ＯＮ信号に基づいてシャッタを閉鎖する。ただし、シャッタを閉鎖するタイミングは、映像信号のブランキング期間内になるように制御される。
【００２２】
映像信号レベルの最大値がＴＨＡより大きいかあるいは映像信号レベルの平均値がＴＨＢより大きい場合には、遮断機構部１５に遮断ＯＦＦ信号を送るとともに、セレクタ４４にフィールドメモリ４１の出力を選択させるための制御信号を送る。遮断機構部１５は、遮断ＯＦＦ信号に基づいてシャッタを開放する。ただし、シャッタを開放するタイミングは、映像信号のブランキング期間内になるように制御される。
【００２３】
上記実施の形態では、映像信号レベル（最大値、平均値）が所定レベルより大きい場合には、通常通りの映像信号が液晶パネル１に送られるとともに、２つの光源１１、１２からの光が液晶パネル１に照射される。
【００２４】
そして、映像信号レベル（最大値、平均値）が所定レベル以下である場合には、信号補正処理部４３によって信号レベルが倍増された映像信号が液晶パネル１に送られるとともに、２つの光源１１、１２のうちの一方の光源からの光のみが液晶パネル１に照射される。
【００２５】
このため、１画面の輝度レベルが低い場合には、黒レベルをより暗くでき、１画面の輝度レベルが高い場合には従来通りの輝度を維持できる。このため、コントラストが向上する。
【００２６】
図１２は、上記第１の実施の形態における入力映像信号と表示輝度との関係を示し、図１３は２灯式の従来例における入力映像信号と表示輝度との関係を示している。
【００２７】
この例では、第１の実施の形態では、映像信号が中間値（Ａ＋Ｂ）／２から最大値Ｂまでの範囲内である場合には、通常通りの映像信号が液晶パネル１に送られるとともに、２つの光源１１、１２からの光が液晶パネル１に照射される。しかしながら、映像信号が最小値Ａから中間値（Ａ＋Ｂ）／２までの範囲内である場合には、信号レベルが倍増された映像信号が液晶パネル１に送られるとともに、２つの光源１１、１２のうちの一方の光源からの光のみが液晶パネル１に照射される。
【００２８】
これに対して従来例では、映像信号の全範囲において、通常通りの映像信号が液晶パネル１に送られるとともに、２つの光源１１、１２からの光が液晶パネル１に照射される。      
【００２９】
したがって、図１２と図１３とを比較すると、表示輝度の最大値ｂは両者とも同じであるが、表示輝度の最小値は第１の実施の形態では従来例の１／２となっている。このため、第１の実施の形態では従来例に比べて、コントラストが向上している。
【００３０】
〔１−１〕  第１の変形例の説明
【００３１】
図３は、信号調整部３３の変形例を示している。図３において、図２と同じものには、同じ符号を付してその説明を省略する。
【００３２】
この信号調整部３３では、図２の信号調整部に、シーンチェンジを検出するためのシーンチェンジ検出部４６が追加されている。
【００３３】
図４は、シーンチェンジ検出部４６の構成例を示している。
【００３４】
シーンチェンジ検出部４６は、映像処理部３２によって得られた映像信号に基づいて、現フィールドの平均輝度レベルを算出する平均輝度レベル算出部５１、平均輝度レベル算出部５１によって算出された前フィールドの平均輝度レベルを保持するための平均メモリ５２および平均輝度レベル算出部５１によって算出された現フィールドの平均輝度レベルと平均メモリ５２に保持されている前フィールドの平均輝度レベルとの相関値（差分値）を算出する相関値算出部５３を備えている。相関値算出部５３によって算出された相関値は、制御部３５に送られる。
【００３５】
制御部３５は、相関値算出部５３から送られてくる相関値の履歴を保存しておき、相関値が急激に変化したときに、シーンチェンジが起こったと判定する。制御部３５は、シーンチェンジを検出した直後においてのみ、遮断機構部１５の制御を行なう。つまり、制御部３５は、シーンチェンジを検出した直後において、映像信号レベルの最大値が対最大値用閾値ＴＨＡ以下でありかつ映像信号レベルの平均値が対平均値用閾値ＴＨＢ以下であると判定したときに、遮断機構部１５に遮断ＯＮ信号を送るとともに、セレクタ４４に信号補正処理部４３の出力を選択させるための制御信号を送る。
【００３６】
また、制御部３５は、シーンチェンジを検出した直後において、映像信号レベルの最大値がＴＨＡより大きいあるいは映像信号レベルの平均値がＴＨＢより大きいと判定したときには、遮断機構部１５に遮断ＯＦＦ信号を送るとともに、セレクタ４４にフィールドメモリ４１の出力を選択させるための制御信号を送る。
【００３７】
上記実施の形態では、光源が２灯設けられている２灯式の投射型液晶プロジェクタについて説明したが、光源が４灯設けられている４灯式の投射型液晶プロジェクタにもこの発明を適用することができる。
【００３８】
この場合には、４つの光源のうち、３つの光源に対してそれぞれ遮断機構部を設けておき、光量を４灯のトータル光量の１／４、２／４、３／４、４／４というように４段階に切り替えるようにする。また、信号調整部３３は、映像処理部３２の出力信号の信号レベルを４倍、２倍、４／３倍、１倍した信号を生成する機能と、制御部３５からの制御信号によって、それらの４種類の信号のうちの１つを選択して出力する機能を備えている。
【００３９】
制御部３５は、映像処理部４３からの映像信号のレベル（最大値、平均値）が予め定められた４段階のうちの何れであるかに応じて、光量を選択するとともに、信号レベルの異なる４つの映像信号から信号を選択する。この際、映像処理部４３からの映像信号のレベルが小さい程、小さい光量を選択するとともに大きいレベルの映像信号を選択する。
【００４０】
〔１−２〕第２の変形例の説明
【００４１】
図５は、投射型液晶プロジェクタの変形例を示している。図５において、図１と同じものには同じ符号を付してその説明を省略する。
【００４２】
液晶パネル１の前面側には、投射レンズ２が配置されている。液晶パネル１の背面側には、コンデンサレンズ３、ＰＳＣ４、インテグレータレンズ対５が配置されている。インテグレータレンズ対５の後方には、光源１１が配置されている。
【００４３】
インテグレータレンズ対５の間位置に遮断機構部１６が配置されている。遮断機構部１６は、図６に示すように、インテグレータレンズ対５の内側および外側に進退自在に保持された４枚の遮光板６１〜６４と、各遮光板６１〜６４を独立して進退駆動させるための駆動装置（図示略）とを備えている。各遮光板６１〜６４の駆動装置は、制御部３５によって制御され、光源１１からの光を１／４、２／４、３／４、４／４の４段階に制御する。
【００４４】
信号調整部３３は、１フィールド毎に、映像信号レベルの平均値（または最大値）を算出して、制御部３５に送る機能を備えている。また、信号調整部３３は、映像処理部３２の出力信号レベルの信号レベルを４倍、２倍、４／３倍、１倍した信号を生成する機能と、制御部３５からの制御信号によって、それらの４種類の信号のうちの１つを選択して出力する機能を備えている。
【００４５】
制御部３５は、信号調整部３３から送られてきた映像信号レベルの平均値（または最大値）が第１閾値ＴＨ１以下である場合には、光源１１からの光が１／４になるように遮断機構部１６を制御するとともに、映像処理部３２の出力信号に対して信号レベルが４倍の信号が液晶パネル１に送られるように信号調整部３３を制御する。
【００４６】
制御部３５は、信号調整部３３から送られてきた映像信号レベルの平均値（または最大値）が第１閾値ＴＨ１より大きく第２閾値ＴＨ２（ＴＨ１＜ＴＨ２）以下である場合には、光源１１からの光が２／４になるように遮断機構部１６を制御するとともに、映像処理部３２の出力信号に対して信号レベルが２倍の信号が液晶パネル１に送られるように信号調整部３３を制御する。
【００４７】
制御部３５は、信号調整部３３から送られてきた映像信号レベルの平均値（または最大値）が第２閾値ＴＨ２より大きく第３閾値ＴＨ３（ＴＨ２＜ＴＨ３）以下である場合には、光源１１からの光が３／４になるように分割遮断機構１６を制御するとともに、映像処理部３２の出力信号に対して信号レベルが４／３倍の信号が液晶パネル１に送られるように信号調整部３３を制御する。
【００４８】
制御部３５は、信号調整部３３から送られてきた映像信号レベルの平均値（または最大値）が第３閾値ＴＨ３より大きい場合には、光源１１からの光が４／４になるように遮断機構部１６を制御するとともに、映像処理部３２の出力信号が液晶パネル１に送られるように信号調整部３３を制御する。
【００４９】
〔１−３〕第３変形例の説明
【００５０】
図７は、投射型液晶プロジェクタの変形例の構成を示している。図７において、図５と同じものには同じ符号を付してその説明を省略する。第３の変形例は、第２の変形例と遮断機構部が異なっている。
【００５１】
液晶パネル１の前面側には、投射レンズ２が配置されている。液晶パネル１の背面側には、コンデンサレンズ３、ＰＳＣ４、インテグレータレンズ対５、一対の集光レンズ６、８が配置されている。一対の集光レンズ６、８の後方に光源１１が配置されている。
【００５２】
一対の集光レンズ６、８の間位置に遮断機構部１７が配置されている。遮断機構部１７は、図８に示すように、円板７１と円板７１をスライドさせるための駆動装置７２を備えている。円板７１の進退量は、駆動装置７２を制御部３５が制御することによって調整される。円板７１は、その中心から径方向に光透過度がグラデーション的に変化するように形成されている。第２の変形例では、円板７１の進退量を調整することによって、光量を４段階に調整する。
【００５３】
〔２〕第２の実施の形態の説明
【００５４】
従来の投射型液晶プロジェクタでは、液晶デバイスがホールド型表示であるため、動く映像がボケる（いわゆる動ボケ）という問題があった。そこで、シャッタを設けた間欠表示が提案されているが、この方法では表示輝度がシャッタにより遮断された分だけ減少するという問題がある。
【００５５】
第２の実施の形態では、動ボケを防止できるとともに表示輝度レベルの低下を防止できる投射型液晶プロジェクタを実現する。
【００５６】
図９は、投射型液晶プロジェクタの構成を示している。
【００５７】
液晶パネル１の前面側には、投射レンズ２が配置されている。液晶パネル１の背面側には、コンデンサレンズ３、ＰＳＣ４、インテグレータレンズ対５、一対の集光レンズ６、８が配置されている。一対の集光レンズ６、８の後方には、光源１１が配置されている。      
【００５８】
一対の集光レンズ６、８の間位置に遮断機構部１８が配置されている。遮断機構部１８は、図１０に示すように、円板８１と、円板８１を回転駆動するためのモータ（図示略）と、円板８１を光路非遮断位置から光路遮断位置に進出させたり、円板８１を光路遮断位置から光路非遮断位置に退却させたりするための駆動装置８２を備えている。円板８１の半分は光を透過する透明な光透過部８１ａに形成され、残りの半分は光を遮断する遮光部８１ｂに形成されている。
【００５９】
円板８１は、映像信号の１フィールドに同期して、１フィールド期間に１回転するように回転駆動せしめられる。映像の垂直同期信号と透過部８１ａまたは遮光部８１ｂの開始位置とが一致するようになっており、円板８１が光路遮断位置に進出させられているときには、この例では１フィールド内の映像期間の半分の期間において、遮光部８１ｂによって光源１１からの光が遮断されるようになっている。
【００６０】
映像回路部３０の構成は、図１に示すものと同じである。また、信号調整部３３の構成は図２に示すものと同じである。
【００６１】
制御部３５は、映像信号レベル検出部４５（図２参照）から送られてきた１フィールド内の映像信号レベルの最大値と平均値とに基づいて、１フィールド内の映像信号レベルの最大値が対最大値用閾値ＴＨＡ以下でありかつ１フィールド内の映像信号レベルの平均値が対平均値用閾値ＴＨＢ以下である場合には、遮断機構部１８に遮断ＯＮ信号を送るとともに、セレクタ４４（図２参照）に信号補正処理部４３（図２参照）の出力を選択させるための制御信号を送る。遮断機構部１８は、遮断ＯＮ信号に基づいて円板８１を光路遮断位置に進出させる。
【００６２】
映像信号レベルの最大値がＴＨＡより大きいかあるいは映像信号レベルの平均値がＴＨＢより大きい場合には、遮断機構部１８に遮断ＯＦＦ信号を送るとともに、セレクタ４４（図２参照）にフィールドメモリ４１（図２参照）の出力を選択させるための制御信号を送る。遮断機構部１８は、遮断ＯＦＦ信号に基づいて、円板８１を光路非遮断位置に退却させる。
【００６３】
この実施の形態では、映像信号レベル（最大値、平均値）が所定レベルより大きい場合には、通常通りの映像信号が液晶パネル１に送られるとともに、光源１１からの光が液晶パネル１に常時照射される。
【００６４】
そして、映像信号レベル（最大値、平均値）が所定レベル以下である場合には、信号補正処理部４３（図２参照）によって信号レベルが倍増された映像信号が液晶パネル１に送られるとともに、遮断機構部１８によって１フィールド内の映像期間の半分の期間において、遮光部８１ｂによって光源１１からの光が遮断される。つまり、映像信号レベルが低い場合には、高輝度部分の輝度レベルを維持したままで間欠表示が可能となり、動ボケが軽減される。また、低輝度部分の輝度レベルは半減するため、コントラストが向上する。      
【００６５】
〔２−１〕第１の変形例の説明
【００６６】
なお、信号調整部３３として、図３、図４に示すように、シーンチェンジ検出部４６が設けられているものを用いてもよい。
【００６７】
このような信号調整部３３を用いた場合には、制御部３５は、シーンチェンジ検出部４６内の相関値算出部５３（図４参照）によって算出された相関値の履歴を保存しておき、相関値が急激に変化したときに、シーンチェンジが起こったと判定する。
【００６８】
制御部３５は、シーンチェンジを検出した直後においてのみ、遮断機構部１８の制御を行なう。つまり、制御部３５は、シーンチェンジを検出した直後において、１フィールド内の映像信号レベルの最大値がＴＨＡ以下でありかつ１フィールド内の映像信号レベルの平均値がＴＨＢ以下であると判定したときに、遮断機構部１８に遮断ＯＮ信号を送るとともに、セレクタ４４に信号補正処理部４３の出力を選択させるための制御信号を送る。
【００６９】
また、制御部３５は、シーンチェンジを検出した直後において、１フィールド内の映像信号レベルの最大値がＴＨＡより大きいあるいは１フィールド内の映像信号レベルの平均値がＴＨＢより大きいと判定したときには、遮断機構部１８に遮断ＯＦＦ信号を送るとともに、セレクタ４４にフィールドメモリ４１の出力を選択させるための制御信号を送る。      
【００７０】
〔２−２〕第２変形例の説明
【００７１】
図１１は、遮断機構の変形例を示している。
【００７２】
遮断機構部１９は、円板９１と、円板９１を回転駆動するためのモータ（図示略）と、円板９１をスライドさせるための駆動装置９２を備えている。円板９１では、外周部である第１環状部と、内周部である第３環状部と、それらの中間部である第２環状部とにおいて、遮光部が占める回転角度領域が異なっている。
【００７３】
外周部である第１環状部においては、１回転角のうちの１／４が遮光部に形成されており、残りの３／４が光透過部に形成されている。第２環状部においては、１回転角のうちの１／２が遮光部に形成されており、残りの１／２が光透過部に形成されている。内周部である第１環状部においては、１回転角のうちの３／４が遮光部に形成されており、残りの１／４が光透過部に形成されている。
【００７４】
円板９１の進退量は、駆動装置９２を制御部３５が制御することによって調整される。駆動装置９２は、制御部３５からの指令に基づいて、円板９１が光路から外れた位置（光路非遮断位置）、円板９１の外周部である第１環状部が光路上にくる位置、円板９１の第２環状部が光路上にくる位置、円板９１の内周部である第３環状部が光路上にくる位置の４段階に、円板９１の位置を切り替える。
【００７５】
信号調整部３３（図９参照）は、１フィールド毎に、映像信号レベルの平均値（または最大値）を算出して、制御部３５に送る機能を備えている。また、信号調整部３３は、映像処理部３２の出力信号レベルの信号レベルを４倍、２倍、４／３倍、１倍した信号を生成する機能と、制御部３５からの制御信号によって、それらの４種類の信号のうちの１つを選択して出力する機能を備えている。
【００７６】
制御部３５は、信号調整部３３から送られてきた映像信号レベルの平均値（または最大値）が第１閾値ＴＨ１以下である場合には、円板９１の内周部である第３環状部が光路上にくる位置にくるように遮断機構部１９を制御するとともに、映像処理部３２の出力信号に対して信号レベルが４倍の信号が液晶パネル１に送られるように信号調整部３３を制御する。
【００７７】
制御部３５は、信号調整部３３から送られてきた映像信号レベルの平均値（または最大値）が第１閾値ＴＨ１より大きく第２閾値ＴＨ２（ＴＨ１＜ＴＨ２）以下である場合には、円板９１の第２環状部が光路上にくる位置にくるように遮断機構部１９を制御するとともに、映像処理部３２の出力信号に対して信号レベルが２倍の信号が液晶パネル１に送られるように信号調整部３３を制御する。
【００７８】
制御部３５は、信号調整部３３から送られてきた映像信号レベルの平均値（または最大値）が第２閾値ＴＨ２より大きく第３閾値ＴＨ３（ＴＨ２＜ＴＨ３）以下である場合には、円板９１の外周部である第１環状部が光路上にくる位置にくるように遮断機構部１９を制御するとともに、映像処理部３２の出力信号に対して信号レベルが４／３倍の信号が液晶パネル１に送られるように信号調整部３３を制御する。
【００７９】
制御部３５は、信号調整部３３から送られてきた映像信号レベルの平均値（または最大値）が第３閾値ＴＨ３より大きい場合には、円板９１が光路から外れた位置にくるように遮断機構部１９を制御するとともに、映像処理部３２の出力信号が液晶パネル１に送られるように信号調整部３３を制御する。
【図面の簡単な説明】
【００８０】
【図１】第１の実施の形態である投射型液晶プロジェクタの構成を示すブロック図である。
【図２】信号調整部３３の構成を示すブロック図である。
【図３】信号調整部３３の変形例を示すブロック図である。
【図４】シーンチェンジ検出部４６の構成を示すブロック図である。
【図５】投射型液晶プロジェクタの変形例を示すブロック図である。
【図６】遮断機構部１６の構成を示す構成図である。
【図７】投射型液晶プロジェクタの変形例を示すブロック図である。
【図８】遮断機構部１７の構成を示す構成図である。
【図９】第２の実施の形態である投射型液晶プロジェクタの構成を示している。
【図１０】遮断機構部１８の構成を示す構成図である。
【図１１】遮断機構部１９の構成を示す構成図である。
【図１２】第１の実施の形態における入力映像信号と表示輝度との関係を示すグラフである。
【図１３】２灯式の従来例における入力映像信号と表示輝度との関係を示すグラフである。
【符号の説明】
【００８１】
１  液晶パネル
１１、１２  光源
１５、１６、１７、１８、１９  遮断機構部
３０  映像回路部
３３  信号調整部
３５  制御部
【図１】
2005099863.tif 000003
【図２】
2005099863.tif 000004
【図３】
2005099863.tif 000005
【図４】
2005099863.tif 000006
【図５】
2005099863.tif 000007
【図６】
2005099863.tif 000008
【図７】
2005099863.tif 000009
【図８】
2005099863.tif 000010
【図９】
2005099863.tif 000011
【図１０】
2005099863.tif 000012
【図１１】
2005099863.tif 000013
【図１２】
2005099863.tif 000014
【図１３】
2005099863.tif 000015